(57)【要約】      （修正有）【課題】陳列棚の配置レイアウトに拘わらず、追加部材を使用することなく電源電圧を給電できる配電装置を提供する。【解決手段】複数列の給電レールを内蔵すると共に、商品陳列棚ＲＡＣＫに固定される配電本体部１と、中継ケーブルＣＡ２を通して配電本体部に電気接続される電源分配器２と、電源分配器を経由して配電本体部に電源電圧を給電する第１電源ケーブルＣＡ３と、第１電源ケーブルに電気接続された第２電源ケーブルＣＡ４と、を有して構成され、第１電源ケーブルは、オス型コンセント３で終端され、第２電源ケーブルは、メス型コンセント４で終端されている。【選択図】図１
0003227165.tif 000002
【実用新案登録請求の範囲】
【請求項１】
導電性を有する複数列の給電レール（ＲＬ１〜ＲＬ３）を内蔵すると共に、商品陳列棚（ＲＡＣＫ）に固定される配電本体部（１）と、
複数列の給電レール（ＲＬ１〜ＲＬ３）に各々接続された導電線を内蔵する中継ケーブル（ＣＡ２）を通して、配電本体部（１）に電気接続される電源分配器（２）と、
電源分配器（２）を経由して配電本体部（１）に電源電圧を給電する第１電源ケーブル（ＣＡ３）と、
電源分配器の内部配線を経由して第１電源ケーブル（ＣＡ３）に電気接続される第２電源ケーブル（ＣＡ４）と、を有して構成され、
第１電源ケーブル（ＣＡ３）は、オス型コンセント（３）で終端されている一方、第２電源ケーブル（ＣＡ４）は、メス型コンセント（４）で終端されていることを特徴とする配電装置。
【請求項２】
配電本体部（１）の給電レール（ＲＬ１〜ＲＬ３）は、照明装置（ＬＩＧＨＴ）に電源電圧を給電するオス型コンセント（６）の突出端子が挿入可能に構成されている請求項１に記載の配電装置。
【請求項３】
配電本体部（１）は、中継ケーブル（ＣＡ２）の導電線に電気接続されて薄板状に突出する複数Ｎ本の突出端子（ＣＮｉ）と、一端部が各突出端子（ＣＮｉ）に固定される断面Ｕ字状のＮ本の屈曲プレート（１３）と、Ｎ本の屈曲プレート（１３）を収容する収容溝（１２）を設けた絶縁性樹脂（１１）と、絶縁性樹脂（１１）を保持する断面コ字状の保持ケース（１４）と、で構成されており、
突出端子（ＣＮｉ）を把持するよう屈曲プレート（１３）が嵌合固定されている請求項１又は２に記載の配電装置。
【請求項４】
各突出端子（ＣＮｉ）には、隆起部（ＰＲ）が設けられている請求項３に記載の配電装置。
【請求項５】
請求項１〜４の何れかの配電装置から給電を受ける照明装置（ＬＩＧＨＴ）であって、
長尺の単位基板（ＵＮＩＴ）が一個または複数個が直列接続されて内蔵されており、
前記単位基板（ＵＮＩＴ）には、商用ＡＣ電源電圧を受けて整流する整流回路（ＢＤ）と、整流回路（ＢＤ）の出力電圧に基づいて動作して、定電流を出力する定電流回路（ＣＯＮＳＴ）と、長さ方向に一列に配置された複数の発光ダイオード（Ｄ１）と、分散配置された複数の電圧制限抵抗（Ｒ１，Ｒ４）とが、表面側と裏面側に搭載されていることを特徴とする照明装置。
【請求項６】
電圧制限抵抗として、公称値が同一抵抗値であって、定格消費電力が１Ｗ以下のチップ抵抗が、複数個直列接続されて配置されている請求項５に記載の照明装置。
【請求項７】
７０ｍＡ〜８０ｍＡの範囲内で規定された定電流が、直列接続された１５〜３５個の発光ダイオード（Ｄ１）に供給される請求項５又は６に記載の照明装置。
【考案の詳細な説明】
【技術分野】
【０００１】
本考案は、商品陳列棚の商品を照明する照明装置などに電源電圧を給電する配電装置及び照明装置に関する。
【背景技術】
【０００２】
本出願人は、照明装置に電源電圧を配電する給電レールを備えた配電装置を提案しており（特許文献１の図７）、また、同種の装置は、他社からも販売ないし提案されている（特許文献２〜特許文献７）。
【０００３】
例えば、先行文献１に記載の給電レールは、断面Ｕ字状に形成された複数列の導体板が真っすぐに延設されており、この給電レールに、照明装置のオス型コンセントを差し込むことで、照明装置に電源電圧が給電されるようになっている。商品陳列棚に配置される照明装置は、一般に、多数のＬＥＤランプを内蔵して構成されており、ＬＥＤランプが、陳列商品を上部から照明している。
【０００４】
このような構成の配電装置を、商品陳列棚の支柱に固定すると、給電レールが、垂直方向に延びるので、照明装置の配置高さに拘わらず、最短配線で給電できる利点がある。
【先行技術文献】
【特許文献】
【０００５】
【特許文献１】特開２０１４−２０７１２６号公報
【特許文献２】特開２０２０−０５８４１２号公報
【特許文献３】特開２０１２−１８５９８８号公報
【特許文献４】特開２０１４−１６０６０２号公報
【特許文献５】特開２０１５−００５４１８号公報
【特許文献６】実登３２０１５６１号公報
【特許文献７】実登３２１４７９９号公報
【考案の概要】
【考案が解決しようとする課題】
【０００６】
しかし、大型店舗の場合、一般に、商品陳列棚も大型化するところ、特に、複数の陳列棚が左右方向に連続する構成を採る場合には、配電装置への電源ラインが長くなり、且つ、煩雑化するという問題点がある。
【０００７】
図６は、この問題点を説明する図面であり、図６（ａ）の断面形状を有する配電装置を、直立状態で陳列棚に固定して（図６（ｂ）参照）、各段の照明装置に電源電圧を給電する状態を示している。
【０００８】
この場合には、電源供給元に近い陳列棚と、電源供給元から離れた陳列棚とでは、電源ラインの長さが変わるので、電源コード長の異なる複数種類の配電装置を用意しなければならないという問題がある（図６（ｃ）参照）。
【０００９】
また、電源供給元に近い場所には、複数本の電源コードが集合するので、来客のつまずき事故などを防止するためのコード収納空間や、コード収納工事が必要となり煩雑である。
【００１０】
なお、上記の問題を解決するためには、中継コンセントで終端された延長ケーブルを別途用意しなければならない（図６（ｄ）参照）。そして、この構成では、中継コンセントに３個のオス型コンセントを差し込むので、タコ足配線となって見苦しく、且つ、延長ケーブルの分だけ追加コストが必要となる。
【００１１】
本考案は、上記の課題に鑑みてなされたものであって、陳列棚の配置レイアウトに拘わらず、追加部材を使用することなく電源電圧を給電できる配電装置を提供することを目的とする。
【課題を解決するための手段】
【００１２】
上記の目的を達成するため、本考案は、導電性を有する複数列の給電レール（ＲＬ１〜ＲＬ３）を内蔵すると共に、商品陳列棚（ＲＡＣＫ）に固定される配電本体部（１）と、複数列の給電レール（ＲＬ１〜ＲＬ３）に各々接続された導電線を内蔵する中継ケーブル（ＣＡ２）を通して、配電本体部（１）に電気接続される電源分配器（２）と、電源分配器（２）を経由して配電本体部（１）に電源電圧を給電する第１電源ケーブル（ＣＡ３）と、電源分配器の内部配線を経由して第１電源ケーブル（ＣＡ３）に電気接続される第２電源ケーブル（ＣＡ４）と、を有して構成され、第１電源ケーブル（ＣＡ３）は、オス型コンセント（３）で終端されている一方、第２電源ケーブル（ＣＡ４）は、メス型コンセント（４）で終端されている。
【考案の効果】
【００１３】
本考案によると、配電装置から第１と第２の電源ケーブルが導出され、オス型とメス型のコンセントで終端されるので、配線接続を最小化することができ、レイアウト変更で陳列棚が増設された場合でも、同じ配電装置を追加することで対処できる。
【図面の簡単な説明】
【００１４】
【図１】配電装置の取付状態を示す斜視図と、正面図である。
【図２】配電装置の全体的な外観を示す図面である。
【図３】配電装置の配電本体部の内部構成を示す図面である。
【図４】照明装置の外観状態を示す図面である。
【図５】照明装置の内部構成を示す回路図である。
【図６】従来装置を説明する図面である。
【考案を実施するための形態】
【００１５】
以下実施例に基づいて本考案を具体的に説明する。図１（ａ）は、実施例に係る配電装置ＤＩＳＴＲの取付状態を示す斜視図である。また、図１（ｂ）は、同一形状の商品陳列棚ＲＡＣＫを、左右方向に６個隣接配置した場合であって、配電装置ＤＩＳＴＲを３個配置した状態を示している。図１（ｂ）に示す実施例では、一の配電装置ＤＩＳＴＲから、左右の商品陳列棚ＲＡＣＫに配置された合計２×６個の照明装置ＬＩＧＨＴに、各々、ＡＣ１００Ｖの電源電圧を供給している。
【００１６】
図１（ａ）に示す通り、この商品陳列棚ＲＡＣＫは、支柱材ＬＧと基礎材ＢＳとでＬ字状の基本骨格が形成され、これに横架材ＨＯＲＩが掛け渡されて全体骨格が完成されている。そして、支柱材ＬＧに固定された保持アームＨＤによって棚板ＰＬＴが保持されている。なお、支柱材ＬＧと基礎材ＢＳからなる基本骨格は、好適には、鉄などの磁性体で構成される。
【００１７】
この実施例では、棚板ＰＬＴの下面に、照明装置ＬＩＧＨＴが固定されて、陳列商品を照明している。ここで、照明装置ＬＩＧＨＴは、白色ＬＥＤランプを内蔵する長尺の点灯部５と、配電装置ＤＩＳＴＲの給電レールＲＬ１〜ＲＬ３に挿入されるオス型コンセント６と、を有して構成され、点灯部５とオス型コンセント６は、給電ケーブルＣＡ５で接続されている（図４）。
【００１８】
配電装置ＤＩＳＴＲは、真っすぐに延びる長尺の配電本体部１と、電源電圧を受ける基端側の電源分配器２と、が中継ケーブルＣＡ２で接続されている。そして、電源分配器２から、一対の電源ケーブルＣＡ３，ＣＡ４が導出されて構成されている。
【００１９】
図示の通り、第１の電源ケーブルＣＡ３は、オス型コンセント３で終端され、第２の電源ケーブルＣＡ４は、メス型コンセント４で終端されている。図１（ｂ）に示す通り、一対の電源ケーブルＣＡ３，ＣＡ４は、ほぼ同一寸法であり、標準的な商品陳列棚ＲＡＣＫの横幅より長い、例えば１５０ｃｍ程度に設定している。これは、商品陳列棚の幅は、一般的に９０ｃｍが多いが、１２０ｃｍタイプのものもあり、これらが組み合わされた場合にも、余裕をもって対応できるようにするためである。
【００２０】
なお、図示例では、グランドラインを含んだ三線式のＡＣ給電ラインを形成しているが、適宜な変換具を取り付けることで二線式のＡＣ給電ラインとして使用することもできる。また、第１の電源ケーブルＣＡ３の長さを、標準的な商品陳列棚ＲＡＣＫの横幅の２倍以上に設定する一方、不使用の可能性もある第２の電源ケーブルＣＡ４については、極端に短く設定しても良い。
【００２１】
配電装置ＤＩＳＴＲの配電本体部１と電源分配器２には、その裏面に、強力な磁石シート（好適にはネオジウムマグネット）１０，２０が貼着されており（図２（ｃ）参照）、基本骨格（ＬＧ＋ＢＳ）が磁性体で形成されている場合には、配電本体部１は支柱材ＬＧに磁着され、電源分配器２は基礎材ＢＳに磁着されて固定される。なお、図示例では、配電本体部１と電源分配器２が、支柱材ＬＧと基礎材ＢＳの側面側に固定されているが、何ら限定されず、配置スペースがある場合には、背面側や正面側に固定しても良い。
【００２２】
図２（ａ）〜図２（ｃ）は、配電装置ＤＩＳＴＲの配電本体部１と電源分配器２について、これらの正面図と側面図と背面図を図示したものである。また、図２（ｄ）は、中継ケーブルＣＡ２と、一対の電源ケーブルＣＡ３，ＣＡ４とを連結する電源分配器２の内部構成を説明する図面である。
【００２３】
配電装置ＤＩＳＴＲの配電本体部１は、表面側に３列の給電レールＲＬ１〜ＲＬ３を形成すると共に、裏面側に磁石シート１０を貼り付けたコネクタ部１ａと、中継ケーブルＣＡ２と給電レールＲＬ１〜ＲＬ３とを内部接続する連結部１ｂと、高さ方向の寸法調整のために適宜に切断加工される中空ボックス状の先端部１ｃと、に区分される。
【００２４】
コネクタ部１ａの給電レールＲＬ１〜ＲＬ３のうち、両端の給電レールＲＬ１，ＲＬ２には、店舗の電源供給元（不図示）から、ＡＣ１００Ｖが給電されるよう構成されており、一方、中央の給電レールＲＬ３は、適宜な位置で大地グランドに接続可能に構成されている。また、先端部１ｃには、１０箇所の切込溝Ｃ１〜Ｃ１０が形成されており、寸法調整のために、不要部分を除去できるようになっている。
【００２５】
なお、連結部１ｂと先端部１ｃには、各々、貫通穴ＨＯが形成されており、商品陳列棚ＲＡＣＫの基本骨格が磁性体で構成されていない場合に、取付ネジなどを通過させる用途で使用される。
【００２６】
コネクタ部１ａと、連結部１ｂの内部構成については、図３に基づいて後述するので、続いて中継ケーブルＣＡ２について説明する。図２（ａ）のＡ−Ａ断面図に示す通り、中継ケーブルＣＡ２は、給電レールＲＬ１〜ＲＬ３に対応して、３本の太い導電線で構成されており、配電本体部１と電源分配器２とを電気接続している。
【００２７】
３本の導線は、黒色で描かれている第１導線Ｌ１と、白色で描かれている第２導線Ｌ２と、網線で同軸ケーブル状に描かれているグランド線Ｌ３とで構成されている。ここで、第１導線Ｌ１は、給電レールＲＬ１に電気接続され、第２導線Ｌ２は、給電レールＲＬ２に電気接続され、また、グランド線Ｌ３は、給電レールＲＬ３に電気接続されている。
【００２８】
電源分配器２は、図２（ｄ）に示す通り、中継ケーブルＣＡ２を構成する３本の導体線と、電源ケーブルＣＡ３と電源ケーブルＣＡ４を構成する各３本の導体線を内部接続している。電源ケーブルＣＡ３と電源ケーブルＣＡ４は、中継ケーブルと同一構成であり、黒色に描かれている第１導線Ｌ１と、白色に描かれている第２導線Ｌ２と、網線で同軸ケーブル状に描かれているグランド線Ｌ３とで構成されている。
【００２９】
そして、各３本である第１導線Ｌ１と、第２導線Ｌ２と、グランド線Ｌ３は、３個の連結リングＲＮＧに、各々、収容されてカシメ加工により一体化されている。図２（ｄ）の最下部は、カシメ加工後の内部状態を示しており、この状態で蓋部材を被せて平面側から取付ネジＳＣを締め込むことで、電源分配器２が完成状態となる（図２（ａ））。
【００３０】
図３は、コネクタ部１ａと連結部１ｂとに区分される配電装置ＤＩＳＴＲの配電本体部１について、内部構成を説明する図面である。先ず、図３（ａ）と図３（ｂ）は、コネクタ部１ａに関し、給電レールＲＬ１〜ＲＬ３を構成する屈曲プレート１３の断面構成や装着方法を示している。
【００３１】
また、図３（ｃ）は、表面板を破断させた連結部１ｂと、断面略Ｕ字状の屈曲プレート１３を露出させたコネクタ部１ａとを分離状態で示している。なお、図３（ｄ）は、表面板を破断させた連結部１ｂと、屈曲プレート１３を露出させたコネクタ部１ａを真上から見た状態、図３（ｅ）は、連結部１ｂとコネクタ部１ａを一体化させた状態を示している。但し、連結部１ｂの表面板は、あえて破断させている。
【００３２】
先ず、コネクタ部１ａについて説明する。図３（ｈ）に示す通り、コネクタ部１ａは、一体成型されたプラスチック製のガイドレール１１と、ガイドレール１１が形成する３列の収容溝１２に保持される３本の屈曲プレート１３と、ガイドレール１１を収容する断面「コ」字状の金属レール１４とで構成されている。なお、ガイドレール１１の収容溝１２に、３本の屈曲プレート１３が挿入されることで、給電レールＲＬ１〜ＲＬ３が実現される（図３（ｉ）参照）。
【００３３】
断面「コ」字状の金属レール１４は、好適には、アルミニウム材で構成されている。一方、屈曲プレート１３は、給電レールＲＬ１〜ＲＬ３を形成するべく湾曲変形された縦長の導体板（図３（ａ）参照）であって、好適には、良導体であるリン青銅が選択される。
【００３４】
図３（ａ）に示すように、屈曲プレート１３は、「ハ」字状に開口する案内溝ＮＥＣＫを形成するよう屈曲形成されている。そして、板材全体が略Ｕ字状に折り返されることで、突出端子ＣＮ１〜ＣＮ３や、オス型コンセント６を受け入れる受入空間ＨＯＬＥを形成している。
【００３５】
先に説明した通り、屈曲プレート１３は、給電レールＲＬ１〜ＲＬ３の構成部材であり、商用電源電圧（ＡＣ１００Ｖ）を受けて、これを、照明装置ＬＩＧＨＴに給電している。そのため、アルミニウム材で構成されて導電性を有する金属レール１４と、良導体である屈曲プレート１３との間に、十分な電気絶縁を確保するべく、ガイドレール１１は、好適には、ポリ塩化ビニルＰＶＣ（polyvinyl chloride）で構成される。
【００３６】
図３（ｄ）に示す通り、連結部１ｂには、中継ケーブルＣＡ２の第１導線Ｌ１に接続された第１接続板ＰＴ１と、第２導線Ｌ２に接続された第２接続板ＰＴ２と、グランド線Ｌ３に接続された第３接続板ＰＴ３とが内蔵されている。そして、第１接続板ＰＴ１と第２接続板ＰＴ２は、そのまま進行して、第１と第２の突出端子ＣＮ１，ＣＮ２となり、第３接続板ＰＴ３は、適宜に屈曲されて第３突出端子ＣＮ３として突出するよう構成されている。
【００３７】
ここで、第１〜第３の突出端子ＣＮ１〜ＣＮ３の板厚は、屈曲プレート１３の案内溝ＮＥＣＫの隙間より適度に厚く形成されている（図３（ａ）参照）。また、突出端子ＣＮ１〜ＣＮ３の基端側には、各々、一方面から他方面に向けて屈曲変形された隆起部ＰＲが形成されている（図３（ｂ）（ｃ）参照）。この隆起部ＰＲは、屈曲プレート１３が、突出端子ＣＮ１〜ＣＮ３に向けスライド移動する場合のストッパとして機能し、３枚の屈曲プレート１３は、突出端子ＣＮ１〜ＣＮ３を把持した状態で、隆起部ＰＲに当接して位置決めされる。この結果、図３（ｅ）に示すように、連結部１ｂとコネクタ部１ａが一体化される。
【００３８】
図４は、照明装置ＬＩＧＨＴを示す図面であり、図４（ａ）は、配電装置の給電レールＲＬ１〜ＲＬ３に挿入されるオス型コンセント６を図示している。オス型コンセント６は、給電ケーブルＣＡ５を通して、点灯部５に電気接続されるが、３本の端子板６１〜６３が突出する標準タイプ６ａと、２本の端子板６１，６２が突出する簡易タイプ６ｂと、がある。
【００３９】
但し、何れのタイプのオス型コンセント６ａ，６ｂも、両端の端子板６１，６２の離間距離は、給電レールＲＬ１，ＲＬ２の離間距離に一致しており、中央に位置する端子板８３が、給電レールＲＬ３に挿入されるようになっている。
【００４０】
次に、図４（ｂ）と図４（ｃ）は、照明装置ＬＩＧＨＴの点灯部５について、その平面図と側面図とを示している。また、図４（ｄ）は、図４（ｂ）のＢ−Ｂ断面図である。
【００４１】
点灯部５は、アルミニウム材で構成された本体ケース５０に収容された保持レール５１に、ＬＥＤ基板５２の幅方向の両端が保持され、ＬＥＤ基板５２の表面側を透明の樹脂カバー５３で覆って構成されている。保持レール５１は、例えば、ポリプロピレンＰＰ（polypropylene ）で構成され、樹脂カバー５３は、例えば、透明のポリエチレンテレフタラートＰＥＴ（polyethylene terephthalate）か、乳白色のポリカーボネートＰＣ（polycarbonate ）で構成されている。
【００４２】
図４（ｂ）に示すように、ＬＥＤ基板５２の表面には、角型の発光ダイオードＤ１が、複数個、真っすぐに等間隔に配置されている。一方、図４（ｄ）に示すように、ＬＥＤ基板５２の裏面には、各種のチップ抵抗Ｒ１〜Ｒ４が、ＬＥＤ基板５２の長さ方向に分散配置されている。なお、ＬＥＤ基板５２の裏面側の空間には、ＡＣ１００Ｖを基端側から先端側に配電する一対の給電ラインＰＷが配置されている。
【００４３】
図５は、照明装置ＬＩＧＨＴの内部構成を説明する図面である。先ず、図５（ｄ）は、ＬＥＤ基板５２の単位基板ＵＮＩＴの回路構成を示しており、この単位基板ＵＮＩＴが一又は複数個直列接続されて、照明装置ＬＩＧＨＴの点灯部５が構成される。単位基板ＵＮＩＴの内部において、ＡＣ１００Ｖの給電ラインＰＷは、ヒューズＦ１，Ｆ２を経由して、単位基板ＵＮＩＴの一端部から他端部まで延設されており、同一構造の単位基板ＵＮＩＴを、幾らでも、直列接続することができる。
【００４４】
図５（ｄ）に示す通り、点灯部５を構成する単位基板ＵＮＩＴは、例えば、２０個の白色発光ダイオードＤ１と、交流電圧を整流する整流回路ＢＤと、過電流時に回路を遮断するヒューズＦ１〜Ｆ３と、リニア動作して定電流制御を実行するトランジスタＴＲと、基準電圧２．５Ｖを生成するレギュレータＳＲと、トランジスタＴＲを最適にリニア動作させるバイアス抵抗Ｒ２と、定電流値Ｉｆを規定する電流制限抵抗Ｒ３と、自らの電圧降下によって白色発光ダイオードＤ１への供給電圧を適正化する多数の電圧制限抵抗Ｒ１，Ｒ４と、を有して構成されている。
【００４５】
ここで、トランジスタＴＲと、バイアス抵抗Ｒ２と、レギュレータＳＲと、電流制限抵抗Ｒ３とで、定電流回路ＣＯＮＳＴが構成されている（図５（ｂ）参照）。後述するように、定電流回路ＣＯＮＳＴは、整流回路ＢＤの出力電圧（脈流）の変動に拘わらず、電流制限抵抗Ｒ３で規定される定電流Ｉｆを出力するので、平滑コンデンサその他を設ける必要がない。
【００４６】
整流回路ＢＤは、図５（ａ）に示すブリッジ整流回路を内蔵したチップ部品で構成されている。この整流回路ＢＤには、交流１００Ｖが供給されるので、整流回路ＢＤの出力は、波高値１４０Ｖ程度の脈流となる。また、レギュレータＳＲは、例えば、図５（ｂ）に示す内部構成を有するShunt Regulator 素子（TL431 ）で構成されている。
【００４７】
Shunt Regulator 素子は、オペアンプＣＭと、トランジスタＱとを有して構成され、内部的で発生させる正確な基準電圧２．５Ｖに基づいて動作している。そして、比較端子ＲＥＦとアノード端子Ａの電位差、つまり、電流制限抵抗Ｒ３の両端電圧が、基準電圧２．５Ｖに一致するよう、オペアンプＣＭとトランジスタＱが機能する。したがって、電流制限抵抗Ｒ３に流れる電流は、２．５／Ｒ３の一定値となる。そこで、本実施例では、Ｒ３＝３３Ωとすることで、発光ダイオードＤ１の通電電流Ｉｆを７６ｍＡ程度に設定している。
【００４８】
白色発光ダイオードＤ１は、図５（ｃ）に示す内部構成を有しており、一の回路素子に、同一特性の発光ダイオードが２個内蔵されている。この発光ダイオードは、７６／２ｍＡ通電時の順方向電圧降下Ｖｆが２．９Ｖ程度である。また、１２０ｍＡ程度の通電電流で、光度１２〜１３ｃｄの高輝度で発光するよう構成されている。
【００４９】
但し、実施例では、通電電流Ｉｆ＝７６ｍＡで動作させるので、光度は６０％程度に抑制されるが、それでも７ｃｄ程度であって、十分に高輝度に発光する。
【００５０】
とろこで、上記の動作を実現するには、発光ダイオードＤ１の各素子の両端電圧Ｖｆが２．９Ｖを超えないよう制限する必要がある。この両端電圧は、２０個の発光ダイオード全体では、５８Ｖとなるが、先に説明した通り、整流回路ＢＤの出力は、波高値１４０Ｖ程度となるので、１４０−５８＝８２Ｖ程度の電圧を適切に電圧降下させる必要がある。
【００５１】
ここで、８２Ｖを単一の抵抗Ｒｘで消費することも考えられるが、それでは、トランジスタＴＲや電流制限抵抗Ｒ３での電圧降下を、仮に５Ｖと見積もっても、単一の抵抗Ｒｘでの消費電力が（８２−５）×７６ｍ＝５．８Ｗ程度となり、この消費電力に耐える高価な抵抗素子Ｒｘが必要となる。また、一ヶ所で発生する５．８Ｗの消費電力による照明装置ＬＩＧＨＴ内部での発熱も問題になる。
【００５２】
そこで、本実施例では、この５．８Ｗ程度の消費電力を、多数の抵抗Ｒ１，Ｒ４で分担して負担している。具体的には、５１Ω程度の５個の抵抗Ｒ１を、各々適宜に離間させて直列接続し、また、７５Ω程度の８個の抵抗Ｒ４を、各々適宜に離間させて直列接続している。
【００５３】
各抵抗Ｒ１，Ｒ４には、何れも７６ｍＡ程度の電流Ｉｆが流れるので、５個の抵抗Ｒ１（５１Ω）での消費電力は、全体で５×５１×７６／１０００×７６／１０００＝１．４７Ｗとなり、８個の抵抗Ｒ４（７５Ω）での消費電力は、全体で８×７５×７６／１０００×７６／１０００＝３．４７Ｗとなる。
【００５４】
そのため、個々の抵抗Ｒ１，Ｒ４として高価な素子を使用する必要がなくなり、且つ、分散配置された各抵抗Ｒ１，Ｒ４での発熱が、適宜に放熱されることで、照明装置ＬＩＧＨＴ内部の過熱状態を未然防止している。因みに、抵抗Ｒ１での消費電力は各々０．２９Ｗ程度であり、また、抵抗Ｒ４での消費電力は、各々、０．４３Ｗであり、何れも１Ｗを大きく下回り、定格０．７５Ｗ程度の安価な抵抗素子を使用することができる。また、各々の発熱量も大きくなく、適切に放熱されるので点灯部を発熱させることもない。なお、本実施例では、全ての抵抗が最大定格０．７５Ｗのチップ抵抗で構成されている。
【００５５】
以上、本考案について、詳細に説明したが、具体的な記載内容は、何ら本考案を限定するものではない。先ず、図１〜図２の実施例では、グランド線Ｌ３を設ける配電装置ＤＩＳＴＲについて説明したが、何ら限定されず、グランド線Ｌ３を省略して、第１と第２の導線Ｌ１，Ｌ２のみで配電装置ＤＩＳＴＲを構成するのも好適である。この場合、コネクタ部１ａの給電レールの個数は、２条でも良いし、図２に示す３条のままでも良い。
【００５６】
また、照明装置ＬＩＧＨＴに配置する発光ダイオードＤ１の個数は、２０個／ＵＮＩＴに限らず、同一寸法の単位基板ＵＮＩＴに、２６個／ＵＮＩＴや、３０個／ＵＮＩＴの発光ダイオードＤ１を配置するのも好適である。
【００５７】
この場合も通電電流Ｉｆは、７０ｍＡ〜８０ｍＡ程度の定電流として、各発光ダイオードＤ１の光度を６〜８ｃｈとするのが好適であり、発光ダイオードＤ１の個数が増えて分だけ、照明装置ＬＩＧＨＴの照明が明るくなる。また、発光ダイオードＤ１の個数が増えて分だけ、電圧制限抵抗Ｒ１，Ｒ４で電圧降下を減らすことができ、無駄な消費電力を抑制することができる。
【００５８】
因みに、電圧制限抵抗Ｒ１，Ｒ４での消費電力は、Ｎ個の発光ダイオードＤ１の通電電流Ｉｆにおける順方向電圧降下をＶｆとすると、（１４０−Ｖｆ×Ｎ−Ｖｏ）×Ｉｆである。ここで、Ｉｆ＝７０ｍＡ〜８０ｍＡ、Ｖｆ＝２．９Ｖである。なお、Ｖｏは、トランジスタＴＲや電流制限抵抗Ｒ３での電圧降下であり、トランジスタＴＲの定格消費電力から、５Ｖ以下に設定するのが好適である（Ｖｏ＜５）。この場合、トランジスタＴＲとして、定格消費電力（Collector power dissipation Ｔａ＝２５℃）１Ｗ以下のものを好適に選択できる。
【００５９】
なお、発光ダイオードＤ１の個数Ｎが多いほど、電圧制限抵抗Ｒ１，Ｒ４や、トランジスタＴＲの無駄な消費電力が抑制できるが、照明装置ＬＩＧＨＴの長さ寸法や製造コストなどを考慮すると、発光ダイオードＤ１の個数ＮをＮ≦３５とするのが好適である。
【符号の説明】
【００６０】
１  配電本体部
２  電源分配器
３  オス型コンセント
４  メス型コンセント
ＤＩＳＴＲ  配電装置
ＲＬ１〜ＲＬ３  給電レール
ＲＡＣＫ  商品陳列棚
ＣＡ２  中継ケーブル
ＣＡ３  第１電源ケーブル
ＣＡ４  第２電源ケーブル
【図１】
0003227165.tif 000003
【図２】
0003227165.tif 000004
【図３】
0003227165.tif 000005
【図４】
0003227165.tif 000006
【図５】
0003227165.tif 000007
【図６】
0003227165.tif 000008